(57)【要約】  本発明の一側面によれば、ヘアードライヤーの送風口に結合されて風を振動させる風振動装置として、前記送風口に結合されて前記風が流入される管状のアダプダと、前記アダプダの内部に回転可能に結合されて前記風が一端から流入されて前記風によって回転する管状の回転体と、前記回転体から延長されるように結合される断続バーと、を含む回転部と、前記アダプダの端部にヒンジ部によってヒンジ結合され、前記断続バーが接触されて前記回転体の回転によって前記ヒンジ部を中心に振動される回転羽部を含む、風振動装置が提供される。
2018505763.tif 000002
【特許請求の範囲】
【請求項１】
ヘアードライヤーの送風口に結合されて風を振動させる風振動装置として、
前記送風口に結合されて前記風が流入される管状のアダプダと、
前記アダプダの内部に回転可能に結合されて前記風が一端から流入されて前記風によって回転する管状の回転体と、前記回転体から延長されるように結合される断続バーを含む回転部と、
前記アダプダの端部にヒンジ部によってヒンジ結合されて、前記断続バーが接触されて前記回転体の回転によって前記ヒンジ部を中心に振動される回転羽部を含む、風振動装置。
【請求項２】
前記回転部は、
前記風が流入されることによって前記回転体が回転されるように前記回転体内壁で前記回転体の中心方向に延長形成される複数のベイン(vane)を含むことを特徴とする請求項１に記載の風振動装置。
【請求項３】
前記アダプダは、
前記アダプダの内部に結合される固定ハブを含んで、
前記回転部は、
前記回転体の中心に長さ方向によって配置されて、前記複数のベインが延長されて結合される回転軸部をさらに含んで、
前記回転軸部は前記固定ハブに回転可能に結合されることを特徴とする請求項２に記載の風振動装置。
【請求項４】
前記回転羽部は、
前記アダプダの端部にヒンジ結合される回転羽と、前記回転羽の端部から延長される一端が開放された中空部を具備する管体を含んで、
前記断続バーの端部は前記中空部に位置して前記回転部の回転によって前記中空部の内壁を周期的に接触して前記回転羽を振動させることを特徴とする請求項１に記載の風振動装置。
【請求項５】
前記管体の中空部は断面が卵円形で形成されて、
前記断続バーは、
前記卵円形の中空部の短軸の内壁に接触するように前記回転体の回転中心で偏心されて結合されることを特徴とする請求項４に記載の風振動装置。
【請求項６】
前記回転羽は、
前記回転羽の両側から延長される一対のヒンジ軸を含んで、
前記ヒンジ部は、
前記アダプダの端部にお互いに対向して延長されて、前記一対のヒンジ軸が回転可能にそれぞれ結合される一対のヒンジ固定部を含むことを特徴とする請求項４に記載の風振動装置。
【請求項７】
前記ヒンジ固定部に対してスライディングされるように前記ヒンジ固定部に結合されて、スライディングによって前記回転羽の振動を断続するストッパーをさらに含むことを特徴とする請求項６に記載の風振動装置。
【請求項８】
前記ストッパーは、
前記ヒンジ固定部に対してスライディングされるように結合される固定ボタンと、
前記固定ボタンに連動されて、前記回転羽の下端が着脱される固定溝が形成される固定体を含むことを特徴とする請求項７に記載の風振動装置。
【請求項９】
一端が前記アダプダに着脱可能に結合されて、他端に前記回転部を通じて吐出された前記風を外部に排出する排出口が形成されるノズルをさらに含む請求項１に記載の風振動装置。
【請求項１０】
風を吐出させる送風口を具備するヘアードライヤー本体と、
前記送風口に結合されて風を振動させる請求項１乃至請求項９のうちでいずれか一つに記載の風振動装置を含む、ヘアードライヤー。
【請求項１１】
前記アダプダは前記送風口と一体的に形成されることを特徴とする請求項１０に記載のヘアードライヤー。
【発明の詳細な説明】
【技術分野】
【０００１】
本発明は、風振動装置及びこれを含むヘアードライヤーに関するものである。より詳細には、ヘアードライヤーの送風方向を持続的に変化させて頭の乾燥時間を縮めさせるのみならず、使用者が疲労を感じないで便利にヘアードライヤーを使うようにする風振動装置及びこれを含むヘアードライヤーに関するものである。
【背景技術】
【０００２】
一般に、ヘアードライヤーは冷風または温風を必要な方向に送風して使用者が頭を乾燥してスタイリングするために使われる。基本的にヘアードライヤーは本体に電源を印加してスイッチを作動すれば、本体が大気から空気を吸いこんで吸入された空気がヒーティング装置及び送風装置を通過しながら本体外部に風が送風されて使用者の頭を乾燥させる。
【０００３】
ヘアードライヤーを使って頭を乾燥させる過程で使用者がヘアードライヤーを振ってヘアードライヤーの風の送風方向を変化させながら頭を乾燥するが、使用者がヘアードライヤーを持続的に動かさなければならないので、手首や腕に無理をさせて使用者が簡単に疲労を感じる問題があった。
【発明の概要】
【発明が解決しようとする課題】
【０００４】
本発明は、ヘアードライヤーの送風方向を持続的に変化させて頭の乾燥時間を縮めさせるのみならず、使用者が疲労を感じないで便利にヘアードライヤーを使うようにする風振動装置及びこれを含むヘアードライヤーに関するものである。
【課題を解決するための手段】
【０００５】
本発明の一側面によれば、ヘアードライヤーの送風口に結合されて風を振動させる風振動装置として、前記送風口に結合されて前記風が流入される管状のアダプダと、前記アダプダの内部に回転可能に結合されて前記風が一端で流入されて前記風によって回転する管状の回転体と、前記回転体から延長されるように結合される断続バーを含む回転部と、前記アダプダの端部にヒンジ部によってヒンジ結合されて、前記断続バーが接触されて前記回転体の回転によって前記ヒンジ部を中心に振動される回転羽部を含む、風振動装置が提供される。
【０００６】
前記回転部は、前記風が流入されることによって前記回転体が回転されるように前記回転体内壁で前記回転体の中心方向に延長形成される複数のベイン(vane)を含むことができる。
【０００７】
前記アダプダは、前記アダプダの内部に結合される固定ハブを含んで、前記回転部は、前記回転体の中心に長さ方向によって配置されて、前記複数のベインが延長されて結合される回転軸部をさらに含んで、前記回転軸部は前記固定ハブに回転可能に結合されることができる。
【０００８】
前記回転羽部は、前記アダプダの端部にヒンジ結合される回転羽と、前記回転羽の端部から延長される一端が開放された中空部を具備する管体を含んで、前記断続バーの端部は前記中空部に位置して前記回転部の回転によって前記中空部の内壁を周期的に接触して前記回転羽を振動させることができる。
【０００９】
前記管体の中空部は断面が卵円形に形成され、前記断続バーは、前記卵円形の中空部の短軸の内壁に接触するように前記回転体の回転中心で偏心されて結合されることができる。
【００１０】
前記回転羽は、前記回転羽の両側から延長される一対のヒンジ軸を含んで、前記ヒンジ部は、前記アダプダの端部にお互いに対向して延長されて、前記一対のヒンジ軸が回転可能にそれぞれ結合される一対のヒンジ固定部を含むことができる。
【００１１】
前記ヒンジ固定部に対してスライディングされるように前記ヒンジ固定部に結合されて、スライディングによって前記回転羽の振動を断続するストッパーをさらに含むことができる。
【００１２】
前記ストッパーは、前記ヒンジ固定部にスライディングされるように結合される固定ボタンと、該固定ボタンに連動されて、前記回転羽の下端が着脱される固定溝が形成される固定体を含むことができる。
【００１３】
一端が前記アダプダに着脱可能に結合されて、他端に前記回転部を通じて吐出された前記風を外部に排出する排出口が形成されるノズルをさらに含むことができる。
【００１４】
本発明の一側面によれば、風を吐出させる送風口を具備するヘアードライヤー本体と、前記送風口に結合されて風を振動させる風振動装置を含む、ヘアードライヤーが提供される。
【００１５】
前記アダプダは前記送風口と一体的に形成されることができる。
【発明の効果】
【００１６】
本発明の実施例によれば、ヘアードライヤーの送風方向を持続的に変化させて頭の乾燥時間を縮めさせるのみならず使用者が疲労を感じないで便利にヘアードライヤーを使うことができる。
【図面の簡単な説明】
【００１７】
【図１】本発明の一実施例による風振動装置の斜視図である。
【図２】本発明の一実施例による風振動装置の切断図である。
【図３】本発明の一実施例による風振動装置の分解斜視図である
【図４】本発明の一実施例による風振動装置のアダプダの斜視図である。
【図５】本発明の一実施例による風振動装置の回転部の斜視図である。
【図６】本発明の一実施例による風振動装置の回転羽部の斜視図である。
【図７】本発明の一実施例による風振動装置の作動過程を説明するための図面である。
【図８】本発明の一実施例による風振動装置の作動過程を説明するための図面である。
【図９】本発明の一実施例による風振動装置の作動過程を説明するための図面である。
【図１０】本発明の一実施例による風振動装置を含むヘアードライヤーの斜視図である。
【発明を実施するための形態】
【００１８】
本発明は、多様な変換を加えることができるし、さまざまな実施例を有することができるが、特定実施例らを図面に例示して詳細な説明に詳細に説明しようとする。しかし、これは本発明を特定の実施形態に対して限定しようとするものではなくて、本発明の思想及び技術範囲に含まれるすべての変換、均等物乃至代替物を含むものとして理解されなければならない。本発明を説明するにおいて関連される公知技術に対する具体的な説明が本発明の要旨を曇らせることができると判断される場合その詳細な説明を略する。
【００１９】
以下、本発明による風振動装置及びこれを含むヘアードライヤーを添付した図面を参照して詳しく説明することにして、添付した図面を参照して説明するにおいて、同一であるか対応する構成要素は等しい図面番号を付与して、これに対する重複される説明は略することにする。
【００２０】
図１は、本発明の一実施例による風振動装置の斜視図であり、図２は本発明の一実施例による風振動装置の切断図であり、図３は本発明の一実施例による風振動装置の分解斜視図である。そして、図４は本発明の一実施例による風振動装置のアダプダの斜視図であり、図５は本発明の一実施例による風振動装置の回転部の斜視図であり、図６は本発明の一実施例による風振動装置の回転羽部の斜視図である。そして、図７乃至図９は本発明の一実施例による風振動装置の作動過程を説明するための図面である。そして、図１０は本発明の一実施例による風振動装置を含むヘアードライヤーの斜視図である。
【００２１】
図１乃至図１０には、風振動装置１、ヘアードライヤー本体５、回転部１０、回転体１１、断続バー１３、ベイン１５、回転軸部１７、結合ピン１９、回転羽部２０、回転羽２１、管体２３、ヒンジ部２４、ヒンジ軸２５、中空部２６、アダプダ３０、アダプダ胴体３１、固定ハブ３２、ヒンジ固定部３３、固定ボタン３５、固定体３７、固定溝３９、ノズル４０、送風口５１が図示されている。
【００２２】
本実施例によるヘアードライヤーは、ヘアードライヤー本体５と、風振動装置１を含む(図１０参照)。
【００２３】
ヘアードライヤー本体５には外部空気を吸いこむ空気吸入口、吸入された空気を送風口５１に送風させるモータ及びファンなどが設置される送風装置、吸入された空気を加熱するヒーティング装置、電源と温度などを調整するスイッチが設けられることができるし、使用者はヘアードライヤー本体５に形成される取っ手を取ってヘアードライヤーを使うことができる。
【００２４】
送風口５１はヘアードライヤー本体５の一側に形成され、ヘアードライヤー本体５で発生された風を外部に送風する。本実施例による風振動装置１は送風口５１に結合されて送風口５１から排出される風を振動させて外部に送風するようになる。
【００２５】
以下では、本発明の一実施例による風振動装置１に関して具体的に見ることにする。
【００２６】
本実施例による風振動装置１は、ヘアードライヤーの送風口５１に結合されて風を振動させる風振動装置１として、送風口５１に結合されて前記風が流入される管状のアダプダ３０と、アダプダ３０の内部に回転可能に結合されながら風が一端で流入されて風によって回転する管状の回転体１１と、回転体１１で延長されるように結合される断続バー１３を含む回転部１０と、アダプダ３０の端部にヒンジ部２４によってヒンジ結合されて、断続バー１３が接触されて回転体１１の回転によってヒンジ部２４を中心に振動される回転羽部２０を含む。
【００２７】
アダプダ３０は管状で形成されて、ヘアードライヤーの送風口５１に結合される。アダプダ３０は断面が環形である管状で形成されることができるし、一端が送風口５１に結合されて、内部の中空を通じてヘアードライヤー本体５から流入される風が他端に排出される。アダプダ３０は送風口５１に締り嵌め方式やねじ結合などの多様な方式によって結合されることができる。
【００２８】
アダプダ３０は、管状のアダプダ胴体３１と、アダプダ胴体３１の内部に結合される固定ハブ３２を具備することができる。固定ハブ３２は後述する回転部１０を回転可能に支持するためのものである。
【００２９】
回転部１０は、アダプダ３０の内部に回転可能に結合されながら風が一端から流入されて風によって回転する管状の回転体１１と、回転体１１から延長されるように結合される断続バー１３を含む。アダプダ３０に流入される風によってアダプダ３０内部に位置する回転体１１が回転して、回転体１１が回転することによって回転体１１から延長される断続バー１３が回転されながら後述する回転羽部２０を接触して回転羽部２０が周期的にティルティングされながら振動する。
【００３０】
図５を参照すれば、回転体１１は管状で形成されて、内部には回転体１１の内壁で回転体１１の中心方向に螺旋形のベイン１５が延長されて形成されることができる。ベイン１５は一定な角度で傾くように形成されているし、回転体１１内部に流入される風がベイン１５にぶつかって回転体１１が回転される。ベイン１５は抵抗力を高めるために回転体１１０の長さ方向に亘って形成されることができる。
【００３１】
一方、回転部１０は回転体１１の中心に長さ方向に沿って配置される回転軸部１７を具備することができる。回転軸部１７は回転体１１の中心に配置されて回転体１１の中心方向に延長される複数のベイン１５が回転軸部１７に延長されて結合される。
【００３２】
アダプダ３０の内部には回転軸部１７を支持するための固定ハブ３２が結合されることができるが、回転部１０の回転軸部１７が固定ハブ３２に回転可能に結合されていて風が回転部１０に流入されることによって回転部１０がアダプダ３０の内部で回転するようになる。
【００３３】
固定ハブ３２に対する回転部１０の結合のために、回転軸部１７には長さ方向に沿って貫通ホールが形成されることができるし、結合ピン１９の端部が回転軸部１７の貫通ホールを通過して固定ハブ３２に結合されながら回転部１０が固定ハブ３２に回転可能になるように支持される。
【００３４】
回転羽部２０は、アダプダ３０の端部にヒンジ部２４によってヒンジ結合されて、回転部１０の断続バー１３が接触されて回転体１１の回転によってヒンジ部２４を中心に周期的にティルティングされながら振動する。回転羽部２０はアダプダ３０の端部にヒンジ結合されているし、回転部１０の回転によって回転部１０の断続バー１３が一緒に回転されて、回転される断続バー１３が回転羽部２０に周期的に接触されながらヒンジ部２４を中心に回転羽部２０をティルティングさせるようになる。回転羽部２０の周期的なティルティングによって回転部１０を通過した風の方向が変わりながらヘアードライヤーで送風される。
【００３５】
本実施例による回転羽部２０は、アダプダ３０の端部にヒンジ結合される回転羽２１と、回転羽２１の端部から延長される一端が開放された中空部２６を具備する管体２３を含む。断続バー１３の端部は管体２３の中空部２６に位置して回転部１０の回転によって断続バー１３が回転しながら中空部２６の内壁を周期的に接触して回転羽２１を振動させる。
【００３６】
回転羽部２０とアダプダ３０のヒンジ結合のために、回転羽２１は回転羽２１の両側から延長される一対のヒンジ軸２５を具備して、ヒンジ部２４はアダプダ３０の端部にお互いに対向して延長されながら一対のヒンジ軸２５が回転可能にそれぞれ結合される一対のヒンジ固定部３３を含むことができる。
【００３７】
図４を参照すれば、回転羽２１の両側から外側に突き出される一対のヒンジ軸２５はアダプダ３０の端部にお互いに対向して延長されて形成される一対のヒンジ固定部３３にそれぞれヒンジ結合される。ヒンジ固定部３３のそれぞれにはヒンジ軸２５が挿入されることができるヒンジ孔が形成されて回転羽２１の両側で突き出されたヒンジ軸２５がヒンジ固定部３３のヒンジ孔にそれぞれ挿入されながら回転羽部２０がアダプダ３０にヒンジ結合される。
【００３８】
一方、本実施例による回転羽部２０の管体２３の中空部２６は断面が卵円形で形成されて、断続バー１３は卵円形の中空部２６の短軸の内壁に接触するように回転体１１の回転中心で偏心されて結合される。回転部１０の回転によって回転中心で偏心されて結合された断続バー１３が中空部２６の楕円の短軸方向の内壁に周期的に接触されながら回転羽部２０がティルティングされて送風口５１から排出される風の方向を周期的に変動させるようになる。
【００３９】
図７乃至図９を参照して、回転部１０の回転による回転羽２１のティルティング過程をより詳しく見れば、図７に示されたように、断続バー１３が楕円の一側短軸方向に位置した場合には断続バー１３が楕円の一側短軸方向の内壁を加圧して回転羽部２０がヒンジ軸２５を中心に楕円の他側方向にティルティングされる。そして、図８に示されたように、回転部１０の回転によって断続バー１３が中空部２６の楕円の長軸方向に位置した場合には断続バー１３と回転羽部２０の接触がなされなくて回転部１０に流入された風の方向に回転羽部２０が直立するようになる。そして、図９に示されたように、回転部１０の回転によって断続バー１３が楕円の他側短軸方向に位置した場合には断続バー１３が楕円の他側短軸方向の内壁を加圧して回転羽部２０がヒンジ軸２５を中心に楕円の一側方向にティルティングされる。回転部１０の連続的な回転によって前記のような方式で回転羽部２０がヒンジ軸２５を中心に繰り返し的にティルティングされながら送風口５１から排出される風の方向に周期的に振動させるようになる。
【００４０】
断続バー１３の端部は中空部２６の内壁と接触時に発生することができる摩擦を考慮して弾性材質で形成されることができる。
【００４１】
ノズル４０は、一端がアダプダ３０に着脱可能に結合されて、他端に回転部１０を通じて吐出された風を外部に排出する排出口が形成される。ノズル４０の排出口は一方向に長いスロット形態で構成されることができるし、回転部１０を通じて吐出された風が回転羽部２０によって振動されながらノズル４０の排出口を通じて振動されながら送風される。
【００４２】
本実施例による風振動装置１は、アダプダ３０のヒンジ固定部３３に対してスライディングされるようにヒンジ固定部３３に結合されてスライディングによって回転羽２１の振動を断続するストッパー(stopper)を含むことができる。使用者の選択によってヘアードライヤーから吐出される風が振動されないようにしてヘアードライヤーを使うことができるが、ストッパー４０を使って回転部２０の回転を停止させて風が振動なしに一定に出るようにするものである。
【００４３】
図３及び図４を参照すれば、ストッパーはヒンジ固定部３３に対してスライディングされるように結合される固定ボタン３５と、固定ボタン３５に連動されて回転羽２１の下端が着脱される固定溝３９が形成される固定体３７を含むことができる。固定ボタン３５はヒンジ固定部３３の外面にスライディングされるように結合されて、固定ボタン３５のスライディングによって固定体３７が連動されて回転羽２１のティルティングを断続するようになる。
【００４４】
ヒンジ固定部３３には開口部が形成されて固定ボタン３５の一部が開口部に貫通挿入されて、固定体３７はアダプダ３０と回転部１０との間に位置して開口部を貫通した固定ボタン３５の一部に結合されて固定ボタン３５の往復スライディングによって固定体３７が連動されて移動される。固定体３７には固定溝３９が形成されて固定体３７の移動によって回転羽２１の下端が固定溝３９に挿入されるか、または固定溝３９から分離することで回転羽２１が固定されるか、または固定が解除される。すなわち、固定体３７が一側にスライディングして固定溝３９に回転羽２１の下部が挿入されれば回転羽２１が固定されて直立し、これによって断続バー１３が連結された回転部１３が回転を止めるようになって、固定体３７が他側にスライディングされて固定溝３９から回転羽２１が分離すれば、回転羽２１がヒンジ部２４のヒンジ結合によってティルティングされて振動するようになる。
【００４５】
以上の実施例では、前述したようにヘアードライヤーと別個で風振動装置１を構成してヘアードライヤーに風振動装置１を着脱可能になるように結合させて使う形態を提示しているが、この外にヘアードライヤーと風振動装置１を一体で構成することも可能である。すなわち、アダプダ３０を送風口５１の一部として送風口５１と一体的に構成して送風口５１の内部に上述した回転部１０、回転羽部２０、ノズル４０などを結合して風振動装置１をヘアードライヤーと一体で構成するものである。
【００４６】
以上では本発明の実施例を参照して説明したが、該当技術分野で通常の知識を有した者なら下記の特許請求の範囲に記載した本発明の思想及び領域から脱しない範囲内で本発明を多様に修正及び変更させることができることを容易に理解することができるであろう。
【図１】
2018505763.tif 000003
【図２】
2018505763.tif 000004
【図３】
2018505763.tif 000005
【図４】
2018505763.tif 000006
【図５】
2018505763.tif 000007
【図６】
2018505763.tif 000008
【図７】
2018505763.tif 000009
【図８】
2018505763.tif 000010
【図９】
2018505763.tif 000011
【図１０】
2018505763.tif 000012
【国際調査報告】
2018505763.tif 000013
2018505763.tif 000014
2018505763.tif 000015
2018505763.tif 000016